(57)【要約】【課題】搬送ローラの温度上昇に起因してその周速度が増速されることによる画像品質の低下などのトラブル発生を、定着部における記録紙の通過速度を特に増速することなく防止できるようにする。【解決手段】加熱手段１８と加圧手段１９とで記録紙を挟持して、その記録紙に転写してある現像剤を定着させる定着部１２と、定着部を通過した記録紙部分を挟持して駆動搬送する搬送ローラ２３とを備えた画像形成装置であって、搬送ローラの周速度を検出する周速度検出手段２７と、周速度検出手段で検出された検出周速度が設定周速度を越えていると搬送ローラの回転数を減少させる制御手段２８とを設けてある。【選択図】図２
2008110828.tif 000002
【特許請求の範囲】
【請求項１】
加熱手段と加圧手段とで記録紙を挟持して、その記録紙に転写してある現像剤を定着させる定着部と、前記定着部を通過した記録紙部分を挟持して駆動搬送する搬送ローラとを備えた画像形成装置であって、
前記搬送ローラの周速度を検出する周速度検出手段と、前記周速度検出手段で検出された検出周速度が設定周速度を越えていると前記搬送ローラの回転数を減少させる制御手段とを設けてある画像形成装置。
【請求項２】
前記周速度検出手段を構成するに、
前記搬送ローラの温度を検出する温度検出部と、前記温度検出部により検出された検出温度と前記周速度との相関関係に基づいて周速度を演算する演算部とを設けて、前記演算部で演算した演算周速度を前記検出周速度として検出するように構成してある請求項１記載の画像形成装置。
【請求項３】
加熱手段と加圧手段とで記録紙を挟持して、その記録紙に転写してある現像剤を定着させる定着部と、前記定着部を通過した記録紙部分を挟持して駆動搬送する搬送ローラとを備えた画像形成装置であって、
前記搬送ローラの温度を検出する温度検出部と、前記温度検出部により検出された検出温度が設定温度を超えていると前記搬送ローラの回転数を減少させる制御手段とを設けてある画像形成装置。
【発明の詳細な説明】
【技術分野】
【０００１】
本発明は、加熱手段と加圧手段とで記録紙を挟持して、その記録紙に転写してある現像剤を定着させる定着部と、前記定着部を通過した記録紙部分を挟持して駆動搬送する搬送ローラとを備えた画像形成装置に関する。
【背景技術】
【０００２】
上記画像形成装置は、定着部において、例えば加熱手段としての加熱ローラと加圧手段としての加圧ローラとで挟持した記録紙を例えば１７０℃前後の温度に加熱して現像剤を定着させるので、定着部を通過した記録紙部分は温度が上昇しており、その温度が上昇している記録紙部分を挟持して駆動搬送する搬送ローラは、記録紙部分からの伝熱によって温度が上昇し易いが、従来、搬送ローラを略一定の回転数で回転させて、定着部を通過した記録紙部分を挟持して駆動搬送している（周知慣用技術であり、先行技術文献情報を開示できない）。
【発明の開示】
【発明が解決しようとする課題】
【０００３】
上記従来の画像形成装置は、搬送ローラを略一定の回転数で回転させて、定着部を通過した記録紙部分を挟持搬送するので、搬送ローラが温度上昇によって径方向に膨張すると、その搬送ローラの周速度が増速されて、その搬送ローラで挟持搬送される記録紙部分の搬送速度も増速される。
このため、加熱ローラと加圧ローラとで挟持されて定着部を通過する記録紙の通過速度に比べて、搬送ローラで挟持搬送される記録紙部分の搬送速度が早くなると、定着部を通過中の記録紙が搬送ローラ側に引っ張られるので、例えば、定着部から搬送ローラに至る記録紙の搬送経路が屈曲しているような場合、定着部を通過した記録紙部分がその搬送方向を案内するガイド部材などに擦られて、定着させた画像の品質が低下するなどのトラブルが発生し易い欠点があり、多数の記録紙を連続的に定着させる際には搬送ローラの温度が特に上昇し易いので、この欠点が一層生じ易い。
この欠点を解決するために、例えば、搬送ローラの温度上昇に起因してその周速度が増速されると、定着部を通過中の記録紙が引っ張られないように、定着部における記録紙の通過速度を強制的に増速することが考えられるが、この場合は、定着部よりも上流側における記録紙の搬送速度も強制的に増速する必要があるので制御構成が複雑化する欠点があるとともに、加熱ローラによる記録紙に対する加熱時間が短くなるので現像剤の定着が不完全になって、その結果、画像品質が低下するおそれもある。
本発明は上記実情に鑑みてなされたものであって、搬送ローラの温度上昇に起因してその周速度が増速されることによる画像品質の低下などのトラブル発生を、定着部における記録紙の通過速度を特に増速することなく防止できるようにすることを目的とする。
【課題を解決するための手段】
【０００４】
本発明の第１特徴構成は、加熱手段と加圧手段とで記録紙を挟持して、その記録紙に転写してある現像剤を定着させる定着部と、前記定着部を通過した記録紙部分を挟持して駆動搬送する搬送ローラとを備えた画像形成装置であって、前記搬送ローラの周速度を検出する周速度検出手段と、前記周速度検出手段で検出された検出周速度が設定周速度を越えていると前記搬送ローラの回転数を減少させる制御手段とを設けてある点にある。
【０００５】
〔作用及び効果〕
搬送ローラの周速度を検出する周速度検出手段と、その周速度検出手段で検出された検出周速度が設定周速度を越えていると搬送ローラの回転数を減少させる制御手段とを設けてあるので、搬送ローラが温度上昇によって径方向に膨張しても、搬送ローラの回転数を減少させることによりその周速度を減速して、定着部を通過中の記録紙が搬送ローラに引っ張られるような事態を回避することができる。
従って、搬送ローラの温度上昇に起因してその周速度が増速されることによる画像品質の低下などのトラブル発生を、定着部における記録紙の通過速度を特に増速することなく防止できる。
【０００６】
本発明の第２特徴構成は、前記周速度検出手段を構成するに、前記搬送ローラの温度を検出する温度検出部と、前記温度検出部により検出された検出温度と前記周速度との相関関係に基づいて周速度を演算する演算部とを設けて、前記演算部で演算した演算周速度を前記検出周速度として検出するように構成してある点にある。
【０００７】
〔作用及び効果〕
搬送ローラの周速度を検出するにあたって、搬送ローラの温度を検出する温度検出部と、その温度検出部により検出された検出温度と周速度との相関関係に基づいて周速度を演算する演算部とを設けて、演算部で演算した演算周速度を検出周速度として検出するように構成してあるので、搬送ローラの温度上昇に関連付けて、その温度上昇に起因する周速度の変化を検出し易い。
【０００８】
本発明の第３特徴構成は、加熱手段と加圧手段とで記録紙を挟持して、その記録紙に転写してある現像剤を定着させる定着部と、前記定着部を通過した記録紙部分を挟持して駆動搬送する搬送ローラとを備えた画像形成装置であって、前記搬送ローラの温度を検出する温度検出部と、前記温度検出部により検出された検出温度が設定温度を超えていると前記搬送ローラの回転数を減少させる制御手段とを設けてある点にある。
【０００９】
〔作用及び効果〕
温度検出部により検出された搬送ローラの検出温度が設定温度を超えていると搬送ローラの回転数を減少させるので、搬送ローラが設定温度を超えて上昇すると、搬送ローラの回転数を減少させることによりその周速度を減速して、定着部を通過中の記録紙が搬送ローラに引っ張られるような事態を回避することができる。
従って、搬送ローラの温度上昇に起因してその周速度が増速されることによる画像品質の低下などのトラブル発生を、定着部における記録紙の通過速度を特に増速することなく防止できる。
【発明を実施するための最良の形態】
【００１０】
以下に本発明の実施の形態を図面に基づいて説明する。
〔第１実施形態〕
図１は、電子写真式画像形成装置の一例としての複写機Ａを示し、記録紙に画像を形成する画像形成部１や、その画像形成部１に給紙するための記録紙Ｐを収納する給紙部２，光学部３，排出・反転部４，両面部５，排紙トレイ６などを備えている。
【００１１】
前記画像形成部１は、感光体ドラム７の周りに、主帯電部８や現像部９，転写・分離部１０，クリーニング・除電部１１などを配設するとともに、定着部１２を設けて、光学部３で読み取った画像情報に基づいて感光体ドラム７にトナー像を形成し、そのトナー像を給紙部２から給紙された記録紙Ｐに転写して、定着部１２で定着させた後の記録紙Ｐを排紙トレイ６に排出できるように構成してある。
【００１２】
前記給紙部２は、装置本体の横外側方にスライド移動自在に支持してある上下三つ給紙トレイ１３と、装置本体の横外側方に突出する姿勢と装置本体側に格納した姿勢とに上下揺動自在に支持してある手差しトレイ１４とを備え、各トレイ１３，１４毎に、記録紙Ｐを画像形成部１に向けて繰り出すための多数の繰り出し用ローラ１５を設けて、繰り出し用ローラ１５の駆動回転で記録紙Ｐを画像形成部１に向けて繰り出せるように構成してある。
【００１３】
前記給紙トレイ１３は、上下に重ねた複数枚の記録紙Ｐを画像形成部１に向けた所定の給紙姿勢で、かつ、画像形成部１への給紙方向下手側端部（給紙方向先端部）を揃えた状態で載置収納できるように設けてあり、記録紙Ｐの給紙方向下手側部分が繰り出し用ローラ１５に接触するようにコイルバネ１６で弾性付勢する付勢板１７を設けて、繰り出し用ローラ１５の駆動回転で記録紙Ｐを上から順に画像形成部１に向けて繰り出せるように構成してある。
【００１４】
前記定着部１２は、トナー像を転写してある記録紙Ｐを加熱手段としての加熱ローラ１８と加圧手段としての加圧ローラ１９とのニップ部で挟持して、その記録紙Ｐに転写してある現像剤を加熱ローラ１８で加熱溶融させて定着させた後、その記録紙Ｐを排出・反転部４に向けて上向きに送り出すように構成してある。
【００１５】
前記排出・反転部４は、図２に示すように、定着部１２から上向きに送り出される記録紙Ｐの搬送方向を、案内部材２０に沿って、排紙トレイ６側に向けた横側方に案内する排紙用搬送路２１と、定着部１２を通過して排紙用搬送路２１に沿って移動してくる記録紙Ｐを、排紙用搬送路２１の搬送方向終端側で挟持して、排紙トレイ６に向けて駆動搬送する挟持搬送部２２とを設けてある。
【００１６】
前記挟持搬送部２２は、定着部１２を通過した記録紙部分を駆動搬送ローラ２３と従動ローラ２４との間に挟持して、搬送ローラ２３の駆動回転で排紙トレイ６側に向けて駆動搬送するように構成してあり、図３に示すように、搬送ローラ２３は、複数のローラ部材２３ａを回転軸芯方向に間隔を隔てて回転軸部材２３ｂに同芯状に固定して構成してあり、排紙用搬送路２１の上方を覆うように装脱自在な排出ユニット２５に、排紙用搬送路２１の上部を形成する案内部材２６と共に、駆動回転自在に組み付けてある。
【００１７】
前記搬送ローラ２３は、搬送ローラ２３の周面温度が予め設定してある一定範囲の設定温度に収まっている通常運転状態では、その周速度が一定範囲の設定周速度になるように所定の設定回転数で駆動回転されており、搬送ローラ２３の周面温度が設定温度を越えて上昇しても、その周速度を設定周速度に維持できるように、搬送ローラ２３の周速度を検出する周速度検出手段２７と、周速度検出手段２７で検出された検出周速度が設定周速度を越えていると前記搬送ローラ２３の回転数を減少させる制御手段２８とを設けてある。
【００１８】
前記周速度検出手段２７は、搬送ローラ２３を構成している複数のローラ部材２３ａのうちの長手方向中央位置のローラ部材２３ａにおける周面温度をサーミスタなどで検出する温度検出部２９と、その温度検出部２９により検出された検出温度と搬送ローラ２３の周速度との相関関係に基づいて周速度を演算する演算部３０とを設けて、演算部３０で演算した演算周速度を検出周速度として検出するように構成してある。
【００１９】
前記演算部３０は、予め、搬送ローラ２３の温度と、通常運転状態における設定回転数で駆動回転されている場合での搬送ローラ２３の周速度との相関関係を記憶してあり、通常運転状態において温度検出部２９により検出された検出温度が通常運転用の設定温度を越えていると、その検出温度において通常運転用の設定回転数で回転している場合の搬送ローラ２３の周速度をその相関関係から演算するように構成してある。
【００２０】
前記制御手段２８は、周速度検出手段２７で検出された検出周速度が設定周速度を越えていると、搬送ローラ２３の周速度が設定周速度になるように、又は、設定周速度に近づくように、搬送ローラ２３を駆動している電動モータ３１の回転数を一定量減らして搬送ローラ２３の回転数を減少させる制御、つまり、搬送ローラ２３の周速度を減速する制御を実行し、温度検出部２９により検出された検出温度が通常運転用の設定温度のときは、搬送ローラ２３が所定の設定回転数で駆動回転されるように、つまり、搬送ローラ２３の周速度が設定周速度になるように電動モータ３１を回転させる制御を実行する制御部を設けて構成してある。
【００２１】
〔第２実施形態〕
搬送ローラ２３の周速度を検出する周速度検出手段を特に設けることなく、搬送ローラ２３の温度が予め設定してある一定範囲の設定温度を越えて上昇したときに、その温度上昇に起因して搬送ローラ２３の周速度が増速されることを防止又は抑制できるように、図４に示すように、搬送ローラ２３の温度を検出する温度検出部２９と、その温度検出部２９により検出された検出温度に基づいて、搬送ローラ２３を駆動している電動モータ３１を制御する制御部２８とを設けてある。
【００２２】
前記制御部２８は、温度検出部２９により検出された検出温度が設定温度を超えていると、搬送ローラ２３の周速度が設定周速度を越えていると判定して、搬送ローラ２３の回転数が設定量減少するように、つまり、搬送ローラ２３の周速度が設定量減速されるように電動モータ３１の回転数を制御し、温度検出部２９により検出された検出温度が通常運転用の設定温度のときは、搬送ローラ２３が所定の設定回転数で駆動回転されるように、つまり、搬送ローラ２３の周速度が設定周速度になるように電動モータ３１の回転数を制御するように設けてある。
その他の構成は第１実施形態と同様である。
【００２３】
〔その他の実施形態〕
１．本発明による画像形成装置は、周速度検出手段で検出された検出周速度が設定周速度になるように搬送ローラの回転数をフィードバック制御する制御手段を設けてあっても良い。
２．本発明による画像形成装置は、記録紙部分を搬送ローラとの共同で挟持する従動ローラの周速度を、搬送ローラの周速度として検出する周速度検出手段を設けてあっても良い。
３．本発明による画像形成装置は、記録紙部分を搬送ローラとの共同で挟持する従動ローラの温度を、搬送ローラの温度として検出する温度検出部を設けてあっても良い。
４．本発明による画像形成装置は、プリンタやファックスなどの電子写真式画像形成装置であっても良い。
【図面の簡単な説明】
【００２４】
【図１】画像形成装置の内部を示す側面図
【図２】要部側面図
【図３】要部斜視図
【図４】第２実施形態を示す要部側面図
【符号の説明】
【００２５】
１２  定着部
１８  加熱手段
１９  加圧手段
２３  搬送ローラ
２７  周速度検出手段
２８  制御手段
２９  温度検出部
３０  演算部
Ｐ  記録紙
【図１】
2008110828.tif 000003
【図２】
2008110828.tif 000004
【図３】
2008110828.tif 000005
【図４】
2008110828.tif 000006